(57)【要約】【課題】特殊な洗剤を使用することなく内部の清浄を維持する。【解決手段】極性が異なる１対の電極３３、３４を有する電解槽３２で生成された生成水を、水量検知手段２５を通して洗浄槽２３へ供給する構成としたものである。【選択図】  図１
2004358030.tif 000002
【特許請求の範囲】
【請求項１】
食器等の被洗浄物を収納した洗浄槽と、前記食器等に付着した汚れを洗浄水により洗浄する洗浄手段と、前記洗浄槽に貯水する洗浄水の水位あるいは水量を検知する水量検知手段と、極性が異なる１対の電極を有する電解槽と、前記電解槽に水道水を導入する給水経路と、前記電解槽内の水を洗浄槽へ注水する注水路とを具備し、前記電解槽で生成された生成水を前記水量検知手段を通して前記洗浄槽へ供給する構成とした食器洗い機。
【請求項２】
食器等の被洗浄物を収納した洗浄槽と、前記食器等に付着した汚れを洗浄水により洗浄する洗浄手段と、送風手段によって得られた乾燥風を前記洗浄槽内に導く送風経路と、極性が異なる１対の電極を有する電解槽と、前記電解槽に水道水を導入する給水経路と、前記電解槽内の水を洗浄槽へ注水する注水路とを具備し、前記電解槽で生成された生成水を前記送風経路を通して前記洗浄槽へ供給する構成とした食器洗い機。
【発明の詳細な説明】
【０００１】
【発明が属する技術分野】
本発明は、電気分解によって得られる生成水を洗浄水として利用する食器洗い機に関するものである。
【０００２】
【従来の技術】
従来、この種の食器洗い機は、図３に示すような構成であった。すなわち、１は食器洗い機の本体で、給水弁２によって導水の開閉が行われる。導水された水は洗浄槽３に貯水され、洗浄槽３に連通した水位センサ４によって所定の水位Ａまで貯まる。貯水された水は、洗浄槽３に設けられたヒータ５で加熱されるとともに洗浄ポンプ６で加圧され、洗浄ノズル７から食器かご８内の食器に向けて噴射される。これにより食器の洗浄が行われる。洗浄が終わると、排水ポンプ９によって洗浄槽３内の水が排出される。１０は食器かご８を出し入れする蓋、１１は食器に付着していた残菜をこし取る残菜フィルタ、１２は洗浄ポンプ６や給水弁２を制御する制御装置、１３は洗浄槽３の溢水を検知する溢水センサである。
【０００３】
一般に、洗浄槽３内には専用の洗剤が投入され、これによって洗浄力が高められる。また、電気分解によって得られる酸性水を利用して除菌する方法も提案されている（例えば、特許文献１参照）。
【０００４】
【特許文献１】
特開平５−１３７６８９号公報
【０００５】
【発明が解決しようとする課題】
しかしながら、前記のような従来の構成では、専用の洗剤を使用するため、その入手が面倒なことや、洗剤を含む洗浄後の水が汚水として排水されるという問題がある。また、洗浄時の汚水の侵入で汚れが堆積しやすいといった課題があった。
【０００６】
本発明は上記の課題を解決するもので、特殊な洗剤を使用することなく内部の清浄を維持することを目的としている。
【０００７】
【課題を解決するための手段】
上記の目的を達成するために、本発明の第１の手段は、極性が異なる１対の電極を有する電解槽で生成された生成水を、水量検知手段を通して洗浄槽へ供給する構成としたものである。
【０００８】
これにより、洗浄時の汚水の侵入で水量検知手段内に付着する汚染物が、機器を使用するたびに電解槽で生成された生成水で清掃され、汚物の堆積を防止することで、水量検知手段の安定動作を維持するとともに、雑菌類の発生を防ぐことができる。
【０００９】
また、第２の手段は、極性が異なる１対の電極を有する電解槽で生成された生成水を、送風経路を通して洗浄槽へ供給する構成としたものである。
【００１０】
これにより、洗浄時の汚水の侵入で送風経路内に付着する汚染物が、機器を使用するたびに電解槽で生成された生成水で洗浄、除菌され、汚物の堆積を防止することで、送風経路を清潔に保ち、高温で加熱される食器乾燥時の異臭を防ぐことができる。
【００１１】
【発明の実施の形態】
請求項１に記載の発明は、食器等の被洗浄物を収納した洗浄槽と、前記食器等に付着した汚れを洗浄水により洗浄する洗浄手段と、前記洗浄槽に貯水する洗浄水の水位あるいは水量を検知する水量検知手段と、極性が異なる１対の電極を有する電解槽と、前記電解槽に水道水を導入する給水経路と、前記電解槽内の水を洗浄槽へ注水する注水路とを具備し、前記電解槽で生成された生成水を前記水量検知手段を通して前記洗浄槽へ供給する構成としたものであり、洗浄時の汚水の侵入で水量検知手段内に付着する汚染物が、機器を使用するたびに電解槽で生成された生成水で清掃され、汚物の堆積を防止することで、水量検知手段の安定動作を維持するとともに、雑菌類の発生を防ぐことができる。
【００１２】
請求項２に記載の発明は、食器等の被洗浄物を収納した洗浄槽と、前記食器等に付着した汚れを洗浄水により洗浄する洗浄手段と、送風手段によって得られた乾燥風を前記洗浄槽内に導く送風経路と、極性が異なる１対の電極を有する電解槽と、前記電解槽に水道水を導入する給水経路と、前記電解槽内の水を洗浄槽へ注水する注水路とを具備し、前記電解槽で生成された生成水を前記送風経路を通して前記洗浄槽へ供給する構成としたものであり、洗浄時の汚水の侵入で送風経路内に付着する汚染物が、機器を使用するたびに電解槽で生成された生成水で洗浄、除菌され、汚物の堆積を防止することで、送風経路を清潔に保ち、高温で加熱される食器乾燥時の異臭を防ぐことができる。
【００１３】
【実施例】
以下、本発明の実施例について、図面を参照しながら説明する。
【００１４】
（実施例１）
図１において、２０は食器洗浄機の本体、２１は水道水を本体２１へ導く給水経路、２２は水道水の止水あるいは給水を行う給水弁、２３は食器かご２４を設置して食器を洗う洗浄槽、２５は給水する洗浄水の水量を検知する水量検知手段を構成するフロート式の水位センサで、洗浄槽２３に連通している。
【００１５】
２６は洗浄槽２３の底部に設けた貯水部２６ａの水を加熱するヒータ、２７は貯水した洗浄水を加圧する洗浄ポンプ、２８は食器に向けて水を噴出する洗浄ノズル、２９は食器洗浄後の汚水を外部へ排水するための排水ポンプ、３０は食器かご２４を出し入れするためのドア、３１は残さいを捕集するフィルタである。
【００１６】
３２は内部に極性が異なる二つの電極、すなわち、陽極３３と陰極３４を有する電解槽で、洗浄槽２３の給水位Ａより上方に位置させることにより、洗浄中に二つの電極３３、３４が洗浄水に触れないようにしている。また、電解槽３２は給水経路２１に連通しており、逆止弁３５を設けることで電解槽３２内に入った空気は抜けるが、水道水は電解槽３２外に漏れない構成となっている。
【００１７】
３６は電解槽３２と洗浄槽２３を連通する注水路で、この注水路３６の注水口３７は給水位Ａより上方に設けられている。電解槽３２と水位センサ２５は導通路３８で連通しており、電解槽３２で生成された生成水は、水位センサ２５内を通して洗浄槽２３に注水するものである。３９は制御装置で、洗浄ポンプ２７等の制御や、電解槽３２内の二つの電極３３、３４に電圧を印可し、同電極３３、３４間に電流を流す。
【００１８】
また、電極３３、３４の下端は、洗浄槽２３の溢水位と同一高さに設置されており、溢水センサ（溢水検知手段）として機能するものである。４０は食器を乾燥するときに使用する送風用ファンである。なお、洗浄ポンプ２７と洗浄ノズル２８で洗浄手段を構成している。また、電解槽３２と、電極３３、３４で電解装置を構成している。
【００１９】
以下、動作と作用について説明する。給水弁２２より本体２０内に供給された水道水は、給水経路２１を通り電解槽３２内に供給され、両電極３３、３４間での電気分解により酸化力のある生成水を生成する。つまり、水道水は給水時のみ電解槽３２内の電極３３、３４に電圧を印可することで生成水を作る。そして、生成された生成水は注水路３６を通って洗浄槽２３に供給されるものである。
【００２０】
所定の給水量になると水位センサ２５が動作し、給水弁２２が閉じられ、給水工程が完了する。このとき、電解槽３２内の水圧が減少して逆止弁３５が開口することで外気が電解槽３２内に導入され、電解槽３２内の生成水は全て水位センサ２５内を通して洗浄槽２３に流れる。したがって、生成水の酸化、漂白、洗浄作用により、水位センサ２５の内部は日常的に清浄され、安定動作を維持して信頼性を高めるとともに、雑菌類の発生を防ぐことができる。
【００２１】
（実施例２）
図２において、注水路４１は、電解槽３２で生成された生成水を送風経路４２を通して洗浄槽２３に注水するようにしたものである。他の構成および動作は実施例１と同じである。また、食器洗い乾燥機としての基本的な動作、構成についても従来例と同じであり、説明は省略する。
【００２２】
次に、動作について説明すると、送風経路４２内は、洗浄時の汚水の進入で汚れの堆積しやすい状態にある。継続して放置すると雑菌の繁殖が起こる。特に、乾燥工程において送風用ファン４０より得られた乾燥風が送風経路４２内を通過する際、悪臭を発生することがある。しかしながら、本発明の構成によれば上記送風経路４２内を常に生成水で洗浄、除菌することで、送風経路４２を清潔に保ち、さらには食器乾燥時等の異臭を防ぐことができるものである。
【００２３】
【発明の効果】
以上のように請求項１、２に記載の発明によれば、特殊な洗剤を使用することなく簡単な構成で信頼性を高めるとともに、内部の清浄を維持することができる。
【図面の簡単な説明】
【図１】本発明の実施例１の食器洗い乾燥機を示す横断面図
【図２】本発明の実施例２の食器洗い乾燥機の要部断面図
【図３】従来の食器洗い乾燥機の構成図
【符号の説明】
２０  本体
２１  給水経路
２３  洗浄槽
２４  食器かご
２５  水量検知手段
２７  洗浄ポンプ（洗浄手段）
２８  洗浄ノズル（洗浄手段）
３２  電解槽
３３  陽極
３４  陰極
３５  逆止弁
３６  注水路
３９  制御装置
４０  送風ファン（送風手段）
【図１】
2004358030.tif 000003
【図２】
2004358030.tif 000004
【図３】
2004358030.tif 000005